(57)【要約】【課題】簡易な構成であって、設置面積が小さいスペースでも設置可能であり、かつ装飾性の高い芝装飾品を提供する。【解決手段】網状体からなり、少なくとも一方に開口部を有する網容器２と、マット状の土３ａに芝３ｂを植栽してなる芝マット３であって、その葉側を外側にして網容器２の内面に貼付された芝マット３と、網容器２の内面に貼付された芝マット３に囲まれてなる凹部３ｄ内に詰め込まれた培養土４と、を含んでなることを特徴とする芝装飾品とした。【選択図】図２
0003137461.tif 000002
【実用新案登録請求の範囲】
【請求項１】
網状体からなり、少なくとも一方に開口部を有する網容器と、
マット状の土に芝を植栽してなる芝マットであって、その葉側を外側にして前記網容器の内面に貼付された芝マットと、
前記網容器の内面に貼付された芝マットに囲まれてなる凹部内に詰め込まれた培養土と、
を含んでなることを特徴とする芝装飾品。
【請求項２】
網状体からなる半球状の網容器と、マット状の土に芝を植栽してなる芝マットであって、その葉側を外側にして前記網容器の内面に貼付された芝マットと、前記網容器の内面に貼付された芝マットに囲まれてなる凹部内に詰め込まれた培養土と、をそれぞれ含んでなる２つの芝装飾ユニットを、前記網容器の開口端同士を連結することで、球状に合体せしめてなることを特徴とする芝装飾品。
【請求項３】
前記培養土には、前記網容器の開口部から露出する草花が植栽されていることを特徴とする請求項１に記載の芝装飾品。
【請求項４】
前記培養土は、３０重量％のパーライトを含んでいることを特徴とする請求項１〜３のいずれか１項に記載の芝装飾品。
【考案の詳細な説明】
【技術分野】
【０００１】
本考案は、植物を用いた装飾品に関し、詳しくは芝を用いた装飾品に関する。
【背景技術】
【０００２】
近年、ガーデニングの流行等もあり、芝を植栽している庭が増えてきている。芝はホームセンター等で容易に手に入り、個人でも比較的容易に植栽することができる。
【０００３】
また、都市部では、緑化の一環として、コンクリートや舗装タイルなどに覆われたビルのベランダや屋上などに、貯水トレー等の特別手段を備えた芝ユニットが敷設されている。
【０００４】
上記のように、自宅の庭に芝を植栽したり、ビルのベランダや屋上などに芝ユニットを配置したりすることで、緑のある自然な環境を身近に手に入れることができ、見る者の心を和やかにすることができる。
【考案の開示】
【考案が解決しようとする課題】
【０００５】
しかしながら、従来は、土の上ではないコンクリートや舗装タイル等の上に芝を敷設するには、貯水トレー等の特別手段が必要であり、複雑かつ大掛かりなものとなっていた。
【０００６】
また、従来は、芝をグラウンドカバーとして平面的に利用するアイデアしかなかった。それゆえ、ある程度の面積を確保できる場所にしか芝を設けることができないうえ、装飾性に欠けるという欠点があった。
【０００７】
本考案は上記事情に鑑みてなされたものであり、その目的とするところは、簡易な構成であって、設置面積が小さいスペースでも設置可能であり、かつ装飾性の高い芝装飾品を提供することにある。
【課題を解決するための手段】
【０００８】
上記課題を解決するために本考案は、（１）網状体からなり、少なくとも一方に開口部を有する網容器と、マット状の土に芝を植栽してなる芝マットであって、その葉側を外側にして前記網容器の内面に貼付された芝マットと、前記網容器の内面に貼付された芝マットに囲まれてなる凹部内に詰め込まれた培養土と、を含んでなることを特徴とする芝装飾品を提供するものである。
【０００９】
また本考案は、（２）網状体からなる半球状の網容器と、マット状の土に芝を植栽してなる芝マットであって、その葉側を外側にして前記網容器の内面に貼付された芝マットと、前記網容器の内面に貼付された芝マットに囲まれてなる凹部内に詰め込まれた培養土と、をそれぞれ含んでなる２つの芝ユニットを、前記網容器の開口端同士を連結することで、球状に合体せしめてなることを特徴とする芝装飾品を提供するものである。
【００１０】
また本考案は、上記構成（１）において、前記培養土には、前記網容器の開口部から露出する草花が植栽されていることを特徴とする芝装飾品を提供するものである。
【００１１】
また本考案は、上記構成（１）〜（３）のいずれかにおいて、前記培養土は、３０重量％のパーライトを含んでいることを特徴とする芝装飾品を提供するものである。
【考案の効果】
【００１２】
上記のように構成された本考案の芝装飾品によれば、芝マットが内側の培養土を漏れなく保持し、雨水や灌水による水を保持し得るため、貯水トレー等の特別手段を要することなく、土の上ではないコンクリートや舗装タイル等の上に配置することができる。
【００１３】
また、本考案の芝装飾品は、立体的に構成されているため、設置面積が小さいスペースであっても、芝による緑化を装飾的に実施することができる。
【考案を実施するための最良の形態】
【００１４】
［第１実施形態］
以下、図面を参照して、本考案の好ましい一実施形態につき説明する。
図１は本考案にかかる芝装飾品の一例を示す斜視図、図２は図１の芝装飾品の作製方法を説明するための側断面図、図３は図１の芝装飾品における網容器を示す斜視図、図４は図１の芝装飾品に用いられる芝マットを示す斜視図である。
【００１５】
図１または図２Ｃに示すように、本考案の芝装飾品１は、網容器２と、網容器２の内面に貼付された芝マット３と、芝マット３の内側に詰め込まれた培養土４とにより、構成されている。
【００１６】
網容器２は、図３に示す如く、円周状の開口端を形成するワイヤ２ｂと、複数のワイヤ２ａとを織成して、φ３００ｍｍ程度の半球状に形成されている。網容器２は、網目が５ｃｍ角程度に織成されていると共に、緑色の樹脂によってコーティングされている。
【００１７】
芝マット３は、図４に示す如く、平板状の土マット３ａに芝３ｂを植栽して構成されている。芝マット３は、平面視３０ｃｍ×３７ｃｍ程度の四角形状である。芝３ｂは、土マット３ａ中に根がはっていると共に、一方側の面から葉がのびている。
なお、芝３ｂは、高麗芝や西洋芝等、一般に用いられている芝であってよい。また、芝マット３は、ホームセンター等で市販されている一般的なものであってよい。
【００１８】
芝マット３は、図２Ａに示す如く、網容器２の内側（内面）の略全体に貼り付けられる。このとき、芝マット３は、芝３ｂの葉側が外側を向くように配置される。また、芝マット３に囲まれた空間により、凹部３ｄが形成される。
【００１９】
培養土４は、肥料、腐葉土、石灰などを所定の割合で混ぜ合わせて、構成されたものである。なお、培養土４は、ホームセンター等で市販されている一般的なものであってよい。
培養土４は、図２Ｂに示す如く、芝マット３によって形成された凹部３ｄ内に詰め込まれる。
【００２０】
本実施形態にかかる芝装飾品１は、図２Ｂに示す半球状の芝装飾ユニット１’を２つ準備し、図２Ｃに示す如く、それらの開口側同士が合うように合体させて構成されている。芝装飾品１は、芝装飾ユニット１’を合体させた後、網容器２の開口端を形成するワイヤ２ｂ同士が、針金等で連結される。
【００２１】
上記のように構成された芝装飾品１は、表面全体が芝３ｂで覆われていると共に、芝マット３が内側の培養土４を漏れなく保持し、雨水や灌水による水を保持することができる。それゆえ、芝装飾品１によれば、貯水トレー等の特別手段を要することなく、土の上ではないコンクリートや舗装タイル等の上に配置することができ、芝３ｂによる緑化を図ることができる。
【００２２】
また、芝装飾品１は、立体的に構成されているため、設置面積が小さいスペースであっても、芝による緑化を有効に実施することができる。
【００２３】
さらに、芝装飾品１は、球状に構成されているため、調和のとれた美しい印象を与えることができ、緑化作用だけでなく、高い装飾性を発揮する。
【００２４】
［第２実施形態］
次に、図面を参照して、本考案の好ましい別の実施形態につき説明する。
図５は別の実施形態にかかる芝装飾品の作製方法を説明するための側断面図、図６は図５の芝装飾品における網容器を示す斜視図である。
【００２５】
図５Ｂに示すように、本考案の芝装飾品１１は、網容器１２と、網容器１２の内面に貼付された芝マット１３と、芝マット１３の内側に詰め込まれた培養土１４と、培養土１４に植栽された草花１５とにより、構成されている。
【００２６】
網容器１２は、図６に示す如く、矩形状の開口端を形成するワイヤ１２ｂと、複数のワイヤ１２ａとを織成して、底面２００ｍｍ×２００ｍｍ，開口部３５０ｍｍ×３５０ｍｍ，高さ３００ｍｍ程度の四角錘台状に形成されている。網容器１２は、網目が５ｃｍ角程度に織成されており、緑色の樹脂によってコーティングされている。
【００２７】
芝マット１３は、図５Ａに示す如く、網容器１２の内側（内面）の略全体に貼り付けられる。このとき、芝マット１３は、芝１３ｂの葉側が外側を向くように配置される。また、芝マット１３に囲まれた空間により、凹部１３ｄが形成される。
なお、芝マット１３自体は、第１実施形態における芝マット３と同様である。
【００２８】
培養土１４は、第２実施形態における培養土４と同様のものであり、図５Ｂに示す如く、芝マット１３によって形成された凹部１３ｄ内に詰め込まれる。
【００２９】
草花１５は、図５Ｂに示す如く、凹部１３ｄ内に詰め込まれた培養土１４に植栽され、網容器１２の開口部から露出している。
【００３０】
上記のように構成された芝装飾品１１は、側面および底面が芝１３ｂで覆われていると共に、芝マット１３が内側の培養土１４を漏れなく保持し、雨水や灌水による水を保持することができる。それゆえ、芝装飾品１１によれば、貯水トレー等の特別手段を要することなく、土の上ではないコンクリートや舗装タイル等の上に配置することができ、芝１３ｂによる緑化を図ることができる。
【００３１】
また、芝装飾品１１は、立体的に構成されているため、設置面積が小さいスペースであっても、芝による緑化を有効に実施することができる。
【００３２】
さらに、芝装飾品１１は、網容器１２の開口部から草花１５が露出しているため、芝による装飾にアクセントを付けることができ、より高い装飾性を発揮する。
【００３３】
［変形例］
以上、本考案の実施形態について具体的に説明したが、本考案は次のように変形して実施することができる。
例えば、培養土内に、３０重量％のパーライト（真珠石）を含有させて芝装飾品を構成することができる。この場合、培養土の機能を維持しつつ、芝装飾品の重量を軽量化することができ、設置労力の省力化を図ることができる。
【００３４】
また、網容器の形状は上記実施形態に示したものに限定されず、動物の形状や乗物の形状等であってもよい。この場合、さらに装飾性を高めることができる。
【図面の簡単な説明】
【００３５】
【図１】本考案にかかる芝装飾品の一例を示す斜視図である。
【図２】図１の芝装飾品の作製方法を説明するための側断面図である。
【図３】図１の芝装飾品における網容器を示す斜視図である。
【図４】図１の芝装飾品に用いられる芝マットを示す斜視図である。
【図５】別の実施形態にかかる芝装飾品の作製方法を説明するための側断面図である。
【図６】図５の芝装飾品における網容器を示す斜視図である。
【符号の説明】
【００３６】
１  芝装飾品
１’  芝装飾ユニット
２  網容器
２ａ，２ｂ  ワイヤ
３  芝マット
３ａ  土マット（マット状の土）
３ｂ  芝
３ｄ  凹部
４  培養土
【図２】
0003137461.tif 000003
【図３】
0003137461.tif 000004
【図５】
0003137461.tif 000005
【図６】
0003137461.tif 000006
【図１】
0003137461.tif 000007
【図４】
0003137461.tif 000008